(57)【要約】    【課題】  撮影者の条件設定作業の繁雑さを取り除き、測距精度及び画質の向上を図ることができる撮像装置を提供する。    【解決手段】  撮像素子１０２の出力信号から被写体の合焦位置を検出するAF処理部１０５を有する撮像装置において、前記AF処理部１０５は、被写体輝度と被写体彩度との組合せに応じて、撮像素子１０２のうちの一つまたは複数の種類の画素を選択し、該選択された画素を用いて合焦位置の検出を行う。【選択図】      図１
2005080011.tif 000002
【特許請求の範囲】
【請求項１】
撮像素子の出力信号から被写体の合焦位置を検出する合焦位置検出工程を有する撮像方法において、
前記合焦位置検出工程は、被写体輝度と被写体彩度との組合せに応じて前記撮像素子のうちの一つまたは複数の種類の画素を選択し、該選択された画素を用いて合焦位置の検出を行うことを特徴とする撮像方法。
【請求項２】
前記合焦位置検出工程による合焦位置検出に先立ち露光検出を行う露光検出工程と、
前記露光検出工程による露光検出結果に基づいて合焦位置検出処理方法を決定する合焦位置検出処理方法決定工程と
を有することを特徴とする請求項１に記載の撮像方法。
【請求項３】
過去の撮影によって累積した状況データを記憶手段に記憶する記憶工程を有し、
前記被写体輝度と被写体彩度との組合せは、前記状況データの一部として前記記憶手段に記憶されていることを特徴とする請求項１または２に記載の撮像方法。
【請求項４】
前記状況データとして、前記被写体輝度と被写体距離及び頻度を軸とした三次元の情報と、前記被写体輝度と被写体彩度及び頻度を軸とした三次元の情報とを用いることを特徴とする請求項３に記載の撮像方法。
【請求項５】
前記状況データにより、前記被写体輝度及び被写体彩度から前記撮像素子中のどの画素を選択して合焦位置検出を行うかを決定する合焦位置検出決定工程を有することを特徴とする請求項３または４に記載の撮像方法。
【請求項６】
前記状況データにより前記被写体輝度及び被写体距離から合焦検出走査範囲を変更する合焦検出走査範囲変更工程を有することを特徴とする請求項３乃至５のいずれかに記載の撮像方法。
【請求項７】
前記状況データによって測距不能時に設定されるデフォルトの被写体距離を変更する被写体距離変更工程を有することを特徴とする請求項３乃至６のいずれかに記載の撮像方法。
【請求項８】
前記状況データにより屋外であるか屋内であるかを判断する判断工程と、
前記判断工程の判断結果に基づいてホワイトバランス処理の白検出範囲を変更する白検出範囲変更工程と
を有することを特徴とする請求項３乃至７のいずれかに記載の撮像方法。
【請求項９】
前記記憶手段はは、撮影毎の状況データを新たに前記記憶手段に記憶し、更新できることを特徴とする請求項３乃至８のいずれかに記載の撮像方法。
【請求項１０】
撮像素子の出力信号から被写体の合焦位置を検出する合焦位置検出手段を有する撮像装置において、
前記合焦位置検出手段は、被写体輝度と被写体彩度との組合せに応じて、前記撮像素子のうちの一つまたは複数の種類の画素を選択し、該選択された画素を用いて合焦位置の検出を行うことを特徴とする撮像装置。
【請求項１１】
前記合焦位置検出手段による合焦位置検出に先立ち露光検出を行う露出検出手段と、
前記露出検出手段の露光検出結果から合焦位置検出処理方法を決定する合焦位置検出処理方法決定手段と
を有することを特徴とする請求項１０に記載の撮像装置。
【請求項１２】
過去の撮影によって累積した状況データを記憶する記憶手段を有し、前記被写体輝度と彩度との組合せは、前記状況データの一部として前記記憶手段に記憶されていることを特徴とする請求項１０または１１に記載の撮像装置。
【請求項１３】
前記iSAPSとして、前記被写体輝度と被写体距離及び頻度を軸とした三次元の情報と、前記被写体輝度と被写体彩度及び頻度を軸とした三次元の情報とを用いることを特徴とする請求項１２に記載の撮像装置。
【請求項１４】
前記状況データにより前記被写体輝度及び被写体彩度から前記撮像素子中のどの画素を選択して合焦位置検出を行うかを決定する合焦位置検出決定手段を有することを特徴とする請求項１２または１３に記載の撮像装置。
【請求項１５】
前記状況データにより前記被写体輝度及び被写体距離から合焦検出走査範囲を変更する合焦検出走査範囲変更手段を有することを特徴とする請求項１２乃至１４のいずれかに記載の撮像装置。
【請求項１６】
前記状況データによって測距不能時に設定されるデフォルトの被写体距離を変更する被写体距離変更手段を有することを特徴とする請求項１２乃至１５のいずれかに記載の撮像装置。
【請求項１７】
前記状況データにより屋外であるか屋内であるかを判断する判断手段と、
前記判断手段の判断結果に基づいてホワイトバランス処理の白検出範囲を変更する白検出範囲変更手段と
を有することを特徴とする請求項１２乃至１６のいずれかに記載の撮像装置。
【請求項１８】
前記状況データは、撮影毎の状況データを新たに前記記憶手段に記憶し、更新できることを特徴とする請求項１２乃至１７のいずれかに記載の撮像装置。
【請求項１９】
請求項１乃至９のいずれかに記載の撮像方法を実現するためのコンピュータ読み取り可能なプログラムコードを有することを特徴とするプログラム。
【請求項２０】
請求項１乃至９のいずれかに記載の撮像方法を実現するためのコンピュータ読み取り可能なプログラムコードを保持することを特徴とする記憶媒体。
【発明の詳細な説明】
【技術分野】
【０００１】
本発明は、電子スチルカメラやビデオカメラ等の撮像装置により撮像する撮像方法、撮像装置、プログラム及び記憶媒体に関する。
【背景技術】
【０００２】
従来、電子スチルカメラやビデオカメラ等の撮像装置は公知である（例えば、特許文献１参照）。
【特許文献１】特開２００２−３３０４４４号公報
【発明の開示】
【発明が解決しようとする課題】
【０００３】
しかしながら、従来の撮像装置では、撮りたい場面に応じて様々な条件設定を行わなければならず、これは、不慣れな撮影者には非常に繁雑な操作であった。また、それに対応した画像処理がメーカー側によって決められた設定であったため、必ずしも撮影者の欲求を満たすものとは言えなかった。更に、撮像光学系では、被写体の波長により結像する位置が異なるいわゆる色収差があるため、被写体の持つ色彩によって合焦位置が必ずしも最適なものとはならないという問題があった。
【０００４】
そこで、本発明は、撮影者の条件設定作業の繁雑さを取り除き、測距精度及び画質の向上を図ることができる撮像方法、撮像装置、プログラム及び記憶媒体を提供することを目的とする。
【課題を解決するための手段】
【０００５】
上記目的を達成するために、本発明の撮像方法は、撮像素子の出力信号から被写体の合焦位置を検出する合焦位置検出工程を有する撮像方法において、前記合焦位置検出工程は、被写体輝度と被写体彩度との組合せに応じて前記撮像素子のうちの一つまたは複数の種類の画素を選択し、該選択された画素を用いて合焦位置の検出を行うことを特徴とする。
【０００６】
また、上記目的を達成するために、本発明の撮像装置は、撮像素子の出力信号から被写体の合焦位置を検出する合焦位置検出手段を有する撮像装置において、前記合焦位置検出手段は、被写体輝度と被写体彩度との組合せに応じて、前記撮像素子のうちの一つまたは複数の種類の画素を選択し、該選択された画素を用いて合焦位置の検出を行うことを特徴とする。
【発明の効果】
【０００７】
本発明によれば、撮影者の条件設定作業の繁雑さを取り除き、測距精度及び画質の向上を図ることができる。
【発明を実施するための最良の形態】
【０００８】
本発明の撮像方法、撮像装置、プログラム及び記憶媒体の実施形態について、図面を参照しながら説明する。
【０００９】
［第１実施の形態］
図１は、第１実施の形態に係る撮像装置の構成を示すブロック図である。
【００１０】
図１において、１０１は撮像部で、この撮像部１０１には、レンズ系、絞り、シャッター等が含まれ、これらは、AE処理部１０４、AF処理部１０５により、適正な露光及び合焦がなされ、また、必要に応じてEF処理部１０７により駆動されるストロボ１０９による補助光が照射され、被写体の像が図２（ａ）、若しくは図２（ｂ）に示すような画素配置のセンサーを持つ固体撮像素子（撮像素子）１０２に結像される。
【００１１】
図２（ａ）において、Rは赤（レッド）、Bは青（ブルー）、Gは緑（グリーン）である。また、図２（ｂ）において、Mはマゼンタ、Yはイエロー、Cはシアン、Gはグリーンである。
【００１２】
図１において、撮像素子１０２の面上に結像された像は、光電変換されてアナログ信号となり、A/D変換部１０３へと送られ、デジタル信号に変換される。A/D変換部１０３で作成されたデジタル信号は、WB処理部１０８によりホワイトバランスが調整された後、画像処理部１１０で適正な出力画像信号が作成される。更に、この出力画像信号は、フォーマット変換部１１１にてJPEGフォーマット等への画像フォーマット変換が行われ、画像記録部１１２にて撮像装置内のメモリ、若しくはコンパクトフラッシュ（登録商標）等の外部メモリ（図示省略）へ書き込まれる。
【００１３】
以上が撮像装置内のデータの簡単な流れである。
【００１４】
AE処理部１０４とAF処理部１０５は、iSAPS（intelligent Scene Analysis based on Photographic Space）部１０６に接続されており、状況データ（iSAPS）が記憶部１１３に保持されている。AE処理部１０４で求められた輝度値Xに対し被写体の彩度の大小が予測され、この彩度が大と予測された場合には、色情報検出部１１４により映像信号から被写体の色情報が検出され、被写体の色相によってAF演算に用いる画素が決定される。
【００１５】
更に、AE処理部１０４で求められた輝度値Xに対し適正であると予測される測距範囲を示す信号がiSAPS部１０６よりAF処理部１０５に送られ、被写体への測距が行われ、距離情報Yが求められる。この求められた(X,Y)の値から、被写体が屋内にあるのか屋外にあるのかが予測され、この予測を元に、EF処理部１０７及びWB処理部１０８の処理を実行する。
【００１６】
以下、本実施の形態に係る撮像装置の動作を、図３乃至図６に示すフローチャートを参照しながら説明する。
【００１７】
図３においてはステップＳ３０１〜ステップＳ３１３、図４においてはステップＳ３１４〜ステップＳ３２１、図５においてはステップＳ３２２〜ステップＳ３３０、図６においてはステップＳ３３１〜ステップＳ３３７の処理を示している。
【００１８】
図３において、まず、ステップＳ３０１のAE処理で輝度値Xが求められ、これがステップＳ３０３でiSAPS部１０６に送られる。iSAPS部１０６では、図７に示すような被写体の輝度値と彩度値に対する過去の撮影によって累積した頻度値のデータが保持されている。この彩度値を表すには、映像信号から得られるRGB値から求めたYuv値のuとvの自乗和の平方根や、L*a*b*値のa*とb*の自乗和の平方根、或いはマンセルのHSC値をテーブルより求め、そのS値を使っても良い。
【００１９】
図７において、A領域は、輝度が高く彩度の低い領域で、例えば、遠景等のような構造物の多い被写体等が挙げられる。また、B領域は、彩度が高くなる領域で、彩度の高い被写体を近接撮影する場合等が考えられる。更に、C領域は、輝度が低く彩度の判別し難い領域である。
【００２０】
前記ステップＳ３０１でのAF処理終了後は、前記iSAPS部１０６に保持されたデータを元に、ステップＳ３０２で、どのようなAF演算処理を行うべきかが判定（AF処理判定）される。その判定の結果、図７におけるA領域、或いはC領域であった場合には、ステップＳ３０４で、彩度が低い、或いは判別し難いと判定され、ステップＳ３０５へ進む。
【００２１】
ステップＳ３０５では、被写体の輝度が高いA領域であれば、ステップＳ３０６に進んで、高輝度用画素をAF演算に用いることにする。また、被写体の輝度が低いC領域であれば、ステップＳ３０７に進んで、低輝度用画素をAF演算に用いることにする。前記ステップＳ３０６及びステップＳ３０７の処理を終了後は、ステップＳ３１３のAF処理へ進む。
ここで高輝度用画素としては、例えば、図２（ａ）のセンサーでは、Gの画素のみを用いることにすれば、レンズの色収差による影響を抑制することができる。また、図２（ｂ）のセンサーでは、同様な目的でGの画素のみを用いても良く、或いは輝度信号の構成方法によっては、全ての画素をAF演算処理に用いるようにしても良い。
【００２２】
一方、低輝度用画素としては、ノイズの影響を最小にするために、全ての画素を用いることが妥当であると考えられる。
【００２３】
前記ステップＳ３０４において、彩度の高いB領域であると判定された場合は、ステップＳ３０８に進んで、映像信号の彩度と色相を得ることができる色情報が計算される。これらには、前述したYuv値のuとv、L*a*b*値のa*とb*、HSC値のSとC等を求めれば良い。
【００２４】
前記ステップＳ３０８における計算の結果、ステップＳ３０９で、被写体の色相が青色に近いと判定された場合には、ステップＳ３１０に進んで、青色画素をAF演算に用いることにする。また、被写体の色相が赤色に近いと判定された場合には、ステップＳ３１２に進んで、赤色画素をAF演算に用いることとにする。更に、青色、赤色のどちらでもない、即ち、中間画素と判定された場合には、ステップＳ３１１に進んで、中間画素をAF演算に用いることにする。
【００２５】
前記ステップＳ３１０〜３１２の処理を終了後は、ステップＳ３１３のAF処理へ進む。
【００２６】
前記ステップＳ３０９において中間画素と判定される場合とは、被写体の色相が緑色、或いはマゼンタ色に近い場合、若しくは計算の結果、実際の被写体の彩度が低かった場合等である。
【００２７】
ここで図２（ａ）のセンサーでは、青色画素としてBの画素、赤色画素としてRの画素、中間画素としてGの画素を用いれば良い。また、図２（ｂ）のセンサーでは、青色画素としてC（シアン）、或いはM（マゼンタ）、或いはその両方を含む画素、赤色画素としてY（イエロー）、或いはM（マゼンタ）、或いはその両方を含む画素、中間画素としてG（グリーン）、或いはM（マゼンタ）、或いはその両方を含む画素を用いれば良い。
【００２８】
このようにしてAF演算に用いる画素が決定された後、ステップＳ３１３のAF処理では、ステップＳ３０１におけるAE処理で得られた輝度値を元に、状況データを用いた測距のための演算が行われる。
【００２９】
iSAPS部１０６では、図７に示した状況データに加え、更に図８に示すような輝度値と距離情報に対する過去の撮影によって累積した頻度値の状況データ（iSAPS）が保持されている。このデータは、図１に示すiSAPS部１０６に接続された記憶装置１１３に保持されている。
【００３０】
ここで、輝度値Xにおける断面図を図９に示す。図９のS0〜S10は、合焦位置を検出するためにサンプリングを採るポイントである。図９において最も頻度の高い距離（距離最高頻度値）Y0と、その周辺で頻度値がある閾値を超える範囲（測距範囲）[Y1,Y2]とがiSAPS部１０６で求められ、これら距離最高頻度値Y0と測距範囲）[Y1,Y2]は、前記ステップＳ３０３において、iSAPS部１０６からステップＳ３１３のAF処理（AF処理部１０５）に送られる。このAF処理では、[Y1,Y2]をAFスキャン範囲に設定し、測距を行う。図９の例では、S1〜S4をスキャン範囲とする。
【００３１】
前記ステップＳ３１３におけるAF処理が終了後は、図４のステップＳ３１４へ進んで、測距が無事完了したか否かが判定される。そして、若し測距が無事完了できた場合は、ステップＳ３２１の屋内外判定へ進み、また、測距が無事に完了できなかった場合は、前記図３のステップＳ３１３において行った測距処理の結果を用いて、図４のステップＳ３１５で、合焦すべき位置が[Y1,Y2]より無限（∞）側にあるのか至近側にあるのかが判断される。そして、合焦すべき位置が[Y1,Y2]より無限側にあれば、測距範囲を[Y2,∞]としてステップＳ３１６のAF処理で、また、至近側にあれば、測距範囲を[0,Y1]としてステップＳ３１７のAF処理で再び測距を行う。
【００３２】
前記ステップＳ３１６のAF処理で測距が完了したならステップ３１８に、また、前記ステップＳ３１７のAF処理で測距が完了したならステップＳ３１９へそれぞれ進む。
【００３３】
ステップＳ３１８及びステップＳ３１９では、測距が無事完了したか否かが判定される。そして、若し測距が無事完了できた場合は、いずれもステップＳ３２１の屋内外判定へ進み、また、測距が無事に完了できなかった場合は、いずれもステップＳ３２０に進み、取得した輝度値Xにおける断面図で最も頻度の高い距離Y0が撮影距離として設定され、その後、ステップＳ３２１の屋内外判定処理へ進む。
【００３４】
ステップＳ３２１の屋内外判定処理では、求められた輝度値Xと距離情報Yとから被写体が屋内であるのか屋外であるのかが判定される。一例として、図８に示す状況データ（iSAPS）には、被写体の輝度値がｘ以下で距離がｙ以下のとき屋内撮影であると判断し、それ以外の部分を屋外撮影であると判断するデータが入っている。この情報が前記ステップＳ３０３においてiSAPS部１０６からステップＳ３２１の屋内外判定処理へ送られた後、図５のステップＳ３２２へ進む。
【００３５】
図５のステップＳ３２２では、前記情報が(X,Y)の値と比較され、屋内撮影であるか否かが判定される。この比較の結果、屋内撮影であると判定された場合は、ステップ３２３へ、また、屋外撮影であると判定された場合は図６のステップＳ３２４へ、それぞれ進む。
【００３６】
図５のステップＳ３２３及び図６のステップＳ３３１では、ストロボ発光するか否かが判定され、ストロボ発光する場合は、それぞれ図５のステップＳ３２４の屋内プリ発光＆本発光量決定処理及び図６のステップＳ３３２の屋外プリ発光＆本発光量決定処理へ、それぞれ進む。また、ストロボ発光しない場合は、図５のステップＳ３２７の屋内AWB処理及び図６のステップＳ３３５の屋外AWB処理へ、それぞれ進む。
【００３７】
図５のステップＳ３２４の屋内プリ発光＆本発光量決定処理及び図６のステップＳ３３２の屋外プリ発光＆本発光量決定処理では、まず、屋外と屋内の違いに応じて本露光時の発光量を設定するためのテスト発光量が決定される。このテスト発光量は、屋内では少なめで、屋外では多く発光するように設定されている。このテスト発光にシンクロして測光して得た輝度値とテスト発光前の測光で得た外光輝度値とを用いた演算処理が行われ、本発光量が決定される。
【００３８】
本発光量が決定された後、図５のステップＳ３２５では、テスト発光時に行った屋内撮影であるとの予測が本当に正しかったのか否かが、また、図６のステップＳ３３３では、テスト発光時に行った屋外撮影であるとの予測が本当に正しかったのか否かが、それぞれ判定される。これは、例えば、テスト発光時に予測した発光量と本発光量との誤差で判定される。その判定の結果、屋内撮影である、或いは屋外撮影であると判定したことが正しい場合は、図５のステップＳ３２７の屋内AWB処理及び図６のステップＳ３３５の屋外AWB処理へ、それぞれ進む。
【００３９】
また、前記図５のステップＳ３２５、或いは前記図６のステップＳ３３３において判定したことが正しくない場合は、図５のステップＳ３２６、或いは図６のステップＳ３３４へ、それぞれ進む。ここでは、屋内撮影、或いは屋外撮影と判定したことが正しくなかったことの程度を表す数値が誤差量として採取される。例えば、上記のようにテスト発光時に予測した発光量と本発光量との誤差量である。この数値は、iSAPS部１０６の屋内外判定データを更新する必要がある場合に用いることができる。
【００４０】
図５のステップＳ３２６では、本来屋外撮影であるべきと判定されたことにより、図６のステップＳ３３５の屋外AWB処理へ進む。また、図６のステップＳ３３４では、本来屋内撮影であるべきと判定されたことにより、図５のステップＳ３２７の屋内AWB処理へ、それぞれ進む。
【００４１】
図５のステップＳ３２７の屋内AWB処理及び図６のステップＳ３３５の屋外AWB処理では、屋外撮影か屋内撮影かに対応した白検出範囲が選択され、適切なホワイトバランスの調整が行われる。屋外用白検出範囲の特徴としては、芝生や空の色に引っ張られないような範囲を設定し、屋内用白検出範囲の特徴としては、蛍光灯の色を追従する範囲を設定する。具体的な白検出範囲の設定の処理については、以下に述べる。
【００４２】
図１０は、室内及び室外の白検出範囲の一例を示す図である。本実施の形態では、図２（ａ）に示す原色フィルタを使用した撮像素子を例に挙げて説明する。図２（ｂ）に示す補色フィルタを使用した撮像素子も、RGB値をマトリクス演算等により求めることで、同様の処理を行うことができる。
【００４３】
白検出範囲は、高色温度から低色温度まで任意のステップで、白色を撮影した撮像素子の出力値から、
Cx= (R-B)/Y
Cy= (R+B-2G)/Y
Y= (R+G+B)/2                      （１）
を計算し、２次元軸にプロットしたものである(図１０参照)。図１０において、横軸は光源の色温度に対応し、縦軸は緑方向補正量に対応している。
【００４４】
以上の検出軸を用いて、本実施の形態におけるホワイトバランス検出手段の動作を説明する。
【００４５】
まず、図１の固体撮像素子１０２からの入力信号は、図２（ａ）の画素を図１１に示すようなブロックに分割し、各ブロック毎に白評価値(Cx,Cy)を計算し、図１０の白検出範囲に入るか否かを判定する。
【００４６】
ここで、状況データ（iSAPS）により屋内撮影であると判断すれば、図１０における(b)の室外用白検出範囲にて、また、屋外撮影であると判断すれば、図１０における(c)の室内用白検出範囲にて、範囲内に含まれるブロックの各色フィルタの出力値の積分値及び総サンプル数を算出する。
【００４７】
SumRw= ΣR(i)
SumGw= ΣG(i)
SumBw= ΣB(i)
SampleWNum= ΣSample(i)            （２）
更に、上記積分値からホワイトバランス係数を算出する。
【００４８】
WBr=1/(SumRw/SampleWNum)
WBg=1/(SumGw/SampleWNum)
WBb=1/(SumBw/SampleWNum)            （３）
これにより、図５のステップＳ３２７における屋内AWB処理、或いは図６のステップＳ３３５における屋外AWB処理にて適切なホワイトバランスの調整が可能となる。
【００４９】
次に、図５のステップＳ３２８で屋内撮影であると、また、図６のステップＳ３３６で屋外撮影であると予測したことが本当に正しかったのかが、前記図５のステップＳ３２７、或いは図６のステップＳ３３５の処理結果から判定される。これは、例えば、上記(１)式に示す(Cx,Cy)の値の図１０に示すグラフ上の分布や、上記(３)式で求めたホワイトバランス係数で判定される。その判定の結果、屋内撮影、或いは屋外撮影であると判定したことが正しい場合は、図５のステップＳ３３０で撮影画像処理が行われ、適正な出力画像信号が作成される。また、前記判定の結果、屋内撮影、或いは屋外撮影であると判定したことが正しくない場合は、図５のステップS３２９、或いは図６のステップＳ３３７へ進む。
【００５０】
ここでは、屋内撮影、或いは屋外撮影であると判定したことが正しくなかったことの程度を表す数値が誤差量として採取される。例えば、上記のように(１)式に示す(Cx,Cy)の値の図１０に示すグラフ上での分散値や、図１０のグラフを複数のブロックに区切って、各ブロックでの分布数を求め、ある閾値を超えるブロックの面積を求めても良く、更に、これらと上記(３)式から求めたホワイトバランス係数を用いた独自の関数を用いても良い。この数値は、前記図５のステップＳ３２６、或いは図６のステップＳ３３４において求めた数値と同様、iSAPS部１０６の屋内外判定データを更新する必要がある場合に用いる。
【００５１】
前記図５のステップS３２９、或いは図６のステップＳ３３７の処理を行った後、図５のステップＳ撮影画像処理が行われ、適正な出力画像信号が作成される。
【００５２】
以上が本実施の形態に係る撮像装置の動作である。
【００５３】
なお、前述の説明では、iSAPS部１０６に設けられた記憶部１１３に、過去の撮影によって累積したデータを状況データ（iSAPS）として記憶するものであったが、これを撮影毎に学習させる機能を設けても良い。これにより、撮影者毎に異なる撮影状況を状況データ（iSAPS）に反映させ、その撮影者にとって使い易い撮像装置を提供することができる。
【００５４】
以上のように、本実施の形態に係る撮像装置によれば、過去の撮影によって累積した状況データ（iSAPS）を用いることにより、写体輝度と被写体彩度との組み合わせに応じて撮像素子中の最適な画素を選択することで、被写体の持つ最適な測距方法を行うことができる。
【００５５】
また、iSAPS部１０６を撮像装置に組み込むことにより、条件設定作業の繁雑さを取り除き、撮影者の使い易さの向上を図ることができる。これにより、AFにおいては、従来は、０〜∞の距離を測定して焦点距離を決定していたため、AFに長い時間がかかっていたものを、本実施の形態に係る撮像装置によれば、状況データ（iSAPS）により測定距離を制限することで、AFにかかる時間の短縮を図ることができると共に、被写体の持つ色彩に最適な測距方法を行うことで、測距精度の向上を図ることができる。
【００５６】
また、EFにおいては、状況データ（iSAPS）により本発光時の発光量を設定するためのテスト発光時の発光量を決定することによって、適切な発光量を得ることができる。
【００５７】
更に、状況データ（iSAPS）によりホワイトバランス処理の白検出範囲を自動変更することにより、従来法よりも画質の向上を図ることができる。
【００５８】
また、本実施の形態に係る撮像装置の処理を行うことにより、iSAPS部１０６を撮像装置に組み込み、これに学習機能を付加することができ、撮影者に対応した使い易い撮像装置を得ることができると共に、合焦位置検出の速度・精度を共に向上させることができる。
【００５９】
以上が本発明の実施形態の説明であるが、本発明は、この実施形態に限られるものではなく、特許請求の範囲で示した機能、または実施形態の構成が持つ機能を達成できる構成であれば、どのようなものであっても適用可能である。
【００６０】
また、本発明の目的は、前述した実施形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６１】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれることは言うまでもない。
【００６２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【図面の簡単な説明】
【００６３】
【図１】本発明の第１の実施形態に係る撮像装置の構成を示すブロック図である。
【図２】本発明の第１の実施形態に係る撮像装置における撮像素子上の画素配置状態の一例を示す図である。
【図３】本発明の第１の実施形態に係る撮像装置の動作の流れを示すフローチャートである。
【図４】本発明の第１の実施形態に係る撮像装置の動作の流れを示すフローチャートである。
【図５】本発明の第１の実施形態に係る撮像装置の動作の流れを示すフローチャートである。
【図６】本発明の第１の実施形態に係る撮像装置の動作の流れを示すフローチャートである。
【図７】本発明の第１の実施形態に係る撮像装置における被写体輝度と彩度の頻度値を示すiSAPSの図である。
【図８】本発明の第１の実施形態に係る撮像装置における被写体輝度と距離の頻度値を示すiSAPSの図である。
【図９】図８のIX−IX断面図である。
【図１０】本発明の第１の実施形態に係る撮像装置における室外及び室内における白検出範囲の設定図である。
【図１１】本発明の第１の実施形態に係る撮像装置における色検出ブロックの一例を示す図である。
【符号の説明】
【００６４】
１０１  撮像部
１０２  固体撮像素子（撮像素子）
１０３  A／D変換部
１０４  AE処理部
１０５  AF処理部（合焦位置検出手段）
１０６  iSAPS部
１０７  EF処理部
１０８  WB処理部
１０９  ストロボ
１１０  画像処理部
１１１  フォーマット変換部
１１２  画像記録部
１１３  記憶部
１１４  色情報検出部
【図１】
2005080011.tif 000003
【図２】
2005080011.tif 000004
【図３】
2005080011.tif 000005
【図４】
2005080011.tif 000006
【図５】
2005080011.tif 000007
【図６】
2005080011.tif 000008
【図７】
2005080011.tif 000009
【図８】
2005080011.tif 000010
【図９】
2005080011.tif 000011
【図１０】
2005080011.tif 000012
【図１１】
2005080011.tif 000013